(57)【特許請求の範囲】
【請求項１】
上面と、
下面と、
前記上面および前記下面のそれぞれに接続された側面と、
前記上面と前記側面との交線部に位置して互いに鈍角に交差する、コーナ切刃、第１直線切刃、第２直線切刃および第３直線切刃を順に有する切刃と、
前記上面の中央部分から前記下面の中央部分にかけて形成された貫通孔とを備え、
前記上面は、前記第１直線切刃に沿って形成された、該第１直線切刃から離れるに従って前記貫通孔の中心軸に直交する仮想平面からの高さが低くなる第１傾斜面、前記第２直線切刃に沿って形成された、該第２直線切刃から離れるに従って前記仮想平面からの高さが低くなる第２傾斜面、および前記第３直線切刃に沿って形成された、該第３直線切刃から離れるに従って前記仮想平面からの高さが低くなる第３傾斜面を有し、
前記第２傾斜面の前記仮想平面に対する傾斜角は、前記第１傾斜面および前記第３傾斜面の前記仮想平面に対する傾斜角よりも大きいことを特徴とする切削インサート。
【請求項２】
前記上面は、前記第１直線切刃と前記第１傾斜面との間に位置する第１ランド面、前記第２直線切刃と前記第２傾斜面との間に位置する第２ランド面、および前記第３直線切刃と前記第３傾斜面との間に位置する第３ランド面を有し、
前記第１ランド面における前記第１直線切刃と前記第１傾斜面との間の幅が、前記第２ランド面における前記第２直線切刃と前記第２傾斜面との間の幅および前記第３ランド面における前記第３直線切刃と前記第３傾斜面との間の幅よりも大きいことを特徴とする請求項１に記載の切削インサート。
【請求項３】
側面視した場合に、前記第１直線切刃は前記下面に対して平行であって、前記第２直線切刃および前記第３直線切刃は前記第１直線切刃から離れるに従って前記仮想平面からの高さが低くなるように傾斜していることを特徴とする請求項１または２に記載の切削インサート。
【請求項４】
上面視した場合に、前記第２直線切刃の長さが前記第３直線切刃の長さよりも長く、かつ、前記第１直線切刃の長さが前記第２直線切刃の長さよりも長いことを特徴とする請求項１〜３のいずれか１つに記載の切削インサート。
【請求項５】
外周の先端側に複数のインサートポケットを有するホルダと、
前記切刃が前記ホルダの側方に突出するように前記インサートポケットに装着された、請求項１〜４のいずれか１つに記載の切削インサートとを具備した切削工具。
【請求項６】
請求項５に記載の切削工具を回転させる工程と、
回転している前記切削工具における前記切刃を被削材に接触させる工程と、
前記切削工具を前記被削材から離す工程とを備えた切削加工物の製造方法。
【発明の詳細な説明】
【技術分野】
【０００１】
本発明は、切削インサート、切削工具および切削加工物の製造方法に関する。
【背景技術】
【０００２】
従来、切削加工物となる被削材の転削加工に用いられる切削インサートとして、特開２００６−８８３３２号公報（特許文献１）に記載のスローアウェイチップが知られている。特許文献１に記載の切削インサートは、２つの直線状部を含む主切刃と副切刃とを備えている。これにより、切刃と被削材との接触長さを短くして切削抵抗を低減している。【０００３】
近年、高能率での切削加工が求められている。そのため、切削インサートが取り付けられる切削工具本体の軸方向切込み深さが大きく、送り量の大きな切削加工が求められている。特許文献１に記載の切削インサートにおいては、主切刃が単に切込み角の異なる２つの直線状部を有する構成であり、上面が平坦面である。従って、切込み深さが大きくなった場合においては、主切刃の切込角が小さいので、切削インサートのサイズが過度に大きくなるとともに切屑の排出性が不十分となる可能性がある。
【発明の概要】
【０００４】
本発明の一態様に基づく切削インサートは、上面と、下面と、前記上面および前記下面のそれぞれに接続された側面と、前記上面と前記側面との交線部に位置して互いに鈍角に交差する、コーナ切刃、第１直線切刃、第２直線切刃および第３直線切刃を順に有する切刃と、前記上面の中央部分から前記下面の中央部分にかけて形成された貫通孔とを備えている。前記上面は、前記第１直線切刃に沿って形成された、該第１直線切刃から離れるに従って前記貫通孔の中心軸に直交する仮想平面からの高さが低くなる第１傾斜面、前記第２直線切刃に沿って形成された、該第２直線切刃から離れるに従って前記仮想平面からの高さが低くなる第２傾斜面、および前記第３直線切刃に沿って形成された、該第３直線切刃から離れるに従って前記仮想平面からの高さが低くなる第３傾斜面を有している。そして、前記第２傾斜面の前記仮想平面に対する傾斜角は、前記第１傾斜面および前記第３傾斜面の前記仮想平面に対する傾斜角よりも大きい。
【図面の簡単な説明】
【０００５】
【図１】本発明の一実施形態の切削インサートを示す斜視図である。
【図２】図１に示す切削インサートの上面図である。
【図３】図１に示す切削インサートの側面図である。
【図４】図１に示す切削インサートの下面図である。
【図５】図２に示す切削インサートにおけるＡ１−Ａ１断面の断面図である。
【図６】図２に示す切削インサートにおけるＡ２−Ａ２断面の断面図である。
【図７】図２に示す切削インサートにおけるＡ３−Ａ３断面の断面図である。
【図８】図２に示す切削インサートにおけるＡ４−Ａ４断面の断面図である。
【図９】図２に示す切削インサートにおけるＢ１−Ｂ１断面の断面図である。
【図１０】図２に示す切削インサートにおけるＢ２−Ｂ２断面の断面図である。
【図１１】図２に示す切削インサートにおけるＢ３−Ｂ３断面の断面図である。
【図１２】図２に示す切削インサートにおけるＢ４−Ｂ４断面の断面図である。
【図１３】本発明の一実施形態の切削工具を示す斜視図である。
【図１４】本発明の一実施形態の切削加工物の製造方法の一工程を示す斜視図である。
【図１５】本発明の一実施形態の切削加工物の製造方法の一工程を示す斜視図である。
【図１６】本発明の一実施形態の切削加工物の製造方法の一工程を示す斜視図である。
【発明を実施するための形態】
【０００６】
＜切削インサート＞
以下、一実施形態の切削インサート１について、図面を用いて詳細に説明する。但し、以下で参照する各図は、説明の便宜上、実施形態の構成部材のうち、本発明を説明するために必要な主要部材のみを簡略化して示したものである。従って、本発明の切削インサート１は、本明細書が参照する各図に示されていない任意の構成部材を備え得る。また、各図中の部材の寸法は、実際の構成部材の寸法および各部材の寸法比率等を忠実に表したものではない。
【０００７】
図１〜１２に示すように、本実施形態の切削インサート１は、上面３、下面５および側面７を有している。側面７は、上面３および下面５のそれぞれに接続されている。上面３と側面７との交線部には切刃９が形成されている。本実施形態の切削インサート１は、下面５の中心および上面３の中心を通る中心軸Ｘを有している。また、切削インサート１は、上面３の中央部分から下面５の中央部分にかけて形成された貫通孔１１を有している。貫通孔１１は、上面３の中央部分および下面５の中央部分にそれぞれ開口している。そのため、本実施形態のインサート１における貫通孔１１の中心軸は、中心軸Ｘと一致しており、貫通孔１１の貫通方向は中心軸Ｘに対して平行となっている。また、下面５は平坦な面であって、中心軸Ｘは下面５に対して直交している。貫通孔１１は、切削インサート１を切削工具のホルダにネジ止め固定する際にネジを挿入するために設けられている。
【０００８】
上面３および下面５は、それぞれ上面視した場合の形状が複数の直線部分を有する略多角形状である。上面３および下面５は、厳密に多角形ではない。具体的には、外周の一部を構成する複数の直線部分のそれぞれが曲線によって接続された構成となっている。下面５は、上面３よりも小さく、上面３に対して略相似形状となっている。そのため、側面視した場合に、側面７は上面３に接続する部分から下面５に接続する部分に向かって中心軸Ｘに近付くように傾斜している。
【０００９】
本実施形態の切削インサート１における上面３および下面５の最大幅は５〜２０ｍｍである。また、下面５から上面３までの高さは２〜８ｍｍである。ここで、上面３の最大幅とは、上面視した場合における上面３の幅の最大値を意味しており、上面に外接する円の直径と置き換えることができる。具体的には、図２において上面３の最大幅が幅Ｌによって示される。同様に、下面５の最大幅とは、下面視した場合における下面５の幅の最大値を意味している。具体的には、下面５に対する仮想的な外接円の直径が最大幅となる。下面５から上面３までの高さとは、上面３の上端と下面５の下端との間における中心軸Ｘに平行な方向での高さを意味している。
【００１０】
切削インサート１の材質としては、例えば、超硬合金あるいはサーメットなどが挙げられる。超硬合金の組成としては、例えば、炭化タングステン（ＷＣ）にコバルト（Ｃｏ）の粉末を加えて焼結して生成されるＷＣ−Ｃｏ、ＷＣ−Ｃｏに炭化チタン（ＴｉＣ）を添加したＷＣ−ＴｉＣ−Ｃｏ、あるいはＷＣ−ＴｉＣ−Ｃｏに炭化タンタル（ＴａＣ）を添加したＷＣ−ＴｉＣ−ＴａＣ−Ｃｏがある。また、サーメットは、セラミック成分に金属を複合させた焼結複合材料であり、具体的には、炭化チタン（ＴｉＣ）、または窒化チタン（ＴｉＮ）などのチタン化合物を主成分とした焼結複合材料が挙げられる。
【００１１】
切削インサート１の表面は、化学蒸着（ＣＶＤ）法または物理蒸着（ＰＶＤ）法を用いて被膜でコーティングされていてもよい。被膜の組成としては、炭化チタン（ＴｉＣ）、窒化チタン（ＴｉＮ）、炭窒化チタン（ＴｉＣＮ）またはアルミナ（Ａｌ２Ｏ３）などが挙げられる。
【００１２】
上面３と側面７との交線部には切刃９が形成されている。本実施形態における切刃９は、コーナ切刃９ａ、第１直線切刃９ｂ、第２直線切刃９ｃおよび第３直線切刃９ｄを順に有している。これらの切刃領域は隣り合う切刃領域と互いに鈍角に交差している。ここで、鈍角に交差しているとは、例えば、第２直線切刃９ｃの場合には、第１直線切刃９ｂおよび第３直線切刃９ｄとそれぞれ隣り合っている。そして、第２直線切刃９ｃに平行な直線と第１直線切刃９ｂに平行な直線の交わる角が鈍角であるとともに、第２直線切刃９ｃに平行な直線と第３直線切刃９ｄに平行な直線の交わる角が鈍角であることを意味している。
【００１３】
通常、コーナ切刃９ａは後述する切削工具のホルダの最も先端側に位置するようにホルダに取り付けられる。第１直線切刃９ｂはコーナ切刃９ａと隣り合っているが、第１直線切刃９ｂとコーナ切刃９ａが鈍角に交差しているとは、コーナ切刃９ａにおけるホルダの最も先端側に位置する部分に接する接線と、第１直線切刃９ｂに平行な直線との交わる角が鈍角であることを意味している。このとき、コーナ切刃９ａは必ずしも直線状の部分を有している必要はない。
【００１４】
切刃９を構成する各切刃領域における隣り合う切刃領域の交差する角は鈍角となっている。一例として、図２においては、コーナ切刃９ａにおけるホルダの最も先端側に位置する部分に接する接線と第１直線切刃９ｂとが交差する角は１６０度に、第１直線切刃９ｂと第２直線切刃９ｃとが交差する角は１５５度に、第２直線切刃９ｃと第３直線切刃９ｄとが交差する角は１５０度に設定される。
【００１５】
コーナ切刃９ａがホルダの最も先端側に位置するようにホルダに切削インサート１が取り付けられることから、上記のコーナ切刃９ａにおける最も先端側に位置する部分に接する接線と、第１直線切刃９ｂ、第２直線切刃９ｃおよび第３直線切刃９ｄとが成す角がいわゆる切込み角となる。切削インサート１は、例えば、第１直線切刃９ｂの切込み角が１０〜２５度、第２直線切刃９ｃの切り込み角が４５度、第３直線切刃９ｄの切込み角が７５度となるようにホルダに取り付けられる。
【００１６】
直線状の切刃領域が２つの場合においては、切込み深さを大きくするためには切刃領域を大きくする、あるいは、ホルダに取り付けた際にホルダの外周側に位置する切刃領域である、相対的に大きな切込み角を有する切刃領域の切込み角を大きくする必要がある。しかしながら、前者の場合においては、切削インサート全体の大きさを非常に大きくする必要がある。また、後者の場合においては、隣り合う２つの切刃領域同士の交差する角度が小さくなるので、これら２つの切刃領域の間の強度が低下して、欠損が生じる可能性がある。
【００１７】
しかしながら、本実施形態の切削インサート１は、上述のように切込み角の互いに異なる３つの切刃領域を有している。そのため、第１直線切刃９ｂの切込み角を小さくしつつ切削インサート１全体の大きさを過度に大きくすることなく、また、隣り合う切刃領域の交差する角度を過度に小さくする必要がなくなる。
【００１８】
第１直線切刃９ｂ、第２直線切刃９ｃおよび第３直線切刃９ｄは、それぞれ隣り合っているが直接に接続されている必要はない。すなわち、本実施形態における切刃９のように、凸曲線状の切刃領域によって接続されていてもよい。このような凸曲線状の切刃領域を有していることによって、直線状の切刃領域の交差する境界の強度が極端に低下することが抑制される。
【００１９】
本実施形態の切削インサート１においては、上面視した場合に、第２直線切刃９ｃの長さが第３直線切刃９ｄの長さよりも長く、かつ、第１直線切刃９ｂの長さが第２直線切刃９ｃの長さよりも長い。
【００２０】
本実施形態の切削インサート１における切刃９は、順に並んだコーナ切刃９ａ、第１直線切刃９ｂ、第２直線切刃９ｃおよび第３直線切刃９ｄの組を４つ有している。これらの４つの組が互いに隣り合って並んでいる。そのため、１つの組におけるコーナ切刃９ａの右隣りには同じ組の第１直線切刃９ｂが位置しており、当該コーナ切刃９ａの左隣りには、別の組の第３直線切刃９ｄが隣り合っている。言い換えれば、コーナ切刃９ａは、隣り合う組における第１直線切刃９ｂと第３直線切刃９ｄとを接続する曲線状の切刃領域を指している。
【００２１】
なお、本実施形態の切削インサート１においては、１つの組におけるコーナ切刃９ａの右隣りには同じ組の第１直線切刃９ｂが位置しており、当該コーナ切刃９ａの左隣りには別の組の第３直線切刃９ｄが位置しているが、逆であってもよい。すなわち、１つの組におけるコーナ切刃９ａの左隣りには同じ組の第１直線切刃９ｂが位置しており、当該コーナ切刃９ａの右隣りには別の組の第３直線切刃９ｄが位置していてもよい。
【００２２】
切削加工時において、１つの組のコーナ切刃９ａ、第１直線切刃９ｂ、第２直線切刃９ｃおよび第３直線切刃９ｄが用いられるが、使用している組が摩耗した際には、切削インサート１を貫通孔１１の中心軸Ｘに対して９０度回転させて、切刃９における未使用の組を用いればよい。
【００２３】
なお、切刃９が形成されている、上面３と側面７との交線部は、２つの面が交わることによる厳密な線形状ではない。上面３と側面７との交線部が鋭角に尖っていると、第１の主切刃９、第２の主切刃９および第１のコーナ切刃９ａの強度が低下する。そのため、上面３と側面７とが交わる部分がわずかに曲面形状となるように、いわゆるホーニング加工が施されていてもよい。
【００２４】
上面３はランド面１３およびすくい面１５を有している。ランド面１３は、切刃９に沿って設けられている。すなわち、ランド面１３は、上面３の外周縁に位置しており、切刃９に接続されている。ランド面１３と側面７との交線部には切刃９が形成されている。ランド面１３は、切刃９の強度を高めるために設けられている。ランド面１３を有していない場合では、すくい面１５と側面７との交線部に切刃９が形成されることになる。
【００２５】
ランド面１３よりも内側に位置するすくい面１５は、後述するように、中心に向かうにつれて貫通孔１１の中心軸に直交する仮想平面Ｈからの高さが低くなる傾斜面である。ここで、仮想平面Ｈとは、貫通孔１１の中心軸に対して直交する平面であって、上面３よりも下方に位置する仮想的な面を意味している。図３、５〜１２は、側方からの図面であることから、これらの図面において、仮想平面Ｈは直線形状で示されている。
【００２６】
貫通孔１１の中心軸は、中心軸Ｘと一致していることから、仮想平面Ｈは中心軸Ｘに対して直交している。本実施形態のインサート１においては、下面５が平坦な面であって中心軸Ｘに対して直交していることから、仮想平面Ｈからの高さを下面５からの高さに置き換えてもよい。すくい面１５の傾斜角はランド面１３の傾斜角よりも大きい。本実施形態の切削インサート１において、ランド面１３は下面５に対して略平行である。
【００２７】
すなわち、すくい面１５の傾斜角よりも小さい傾斜角を備えたランド面１３を有することによって、切刃９の強度を高めることができる。なお、上記の傾斜角とは、中心軸Ｘを含む断面における下面５に平行な面と対象とする面とによって構成される角度を意味している。上面３の外周とすくい面１５の外周との間隔で示されるランド面１３の幅は、切削条件によって適宜設定されるが、例えば１ｍｍ以下の範囲で設定される。
【００２８】
すくい面１５は、ランド面１３よりも内側に位置している。すくい面１５は、切刃９において切削された切屑をすくい取る役割をしている。そのため、被削材の切屑はすくい面１５の表面を伝うように流れる。すくい面１５は、切屑を良好にすくい取るために、ランド面１３から離れるに従って下面５からの高さが低くなるように傾斜している。
【００２９】
言い換えれば、本実施形態の切削インサート１においては、すくい面１５は、上面３の中心に向かうにつれて高さが低くなる傾斜面である。上面視した場合における、すくい面１５の外周とすくい面１５の内周との間隔で示されるすくい面１５の幅は、切削条件によって適宜設定される。
【００３０】
本実施形態の切削インサート１は、切刃９から離れるに従って下面５からの高さが低くなるように傾斜したすくい面１５として、第１直線切刃９ｂに沿って形成された第１傾斜面１５ａ、第２直線切刃９ｃに沿って形成された第２傾斜面１５ｂ、および第３直線切刃９ｄに沿って形成された第３傾斜面１５ｃを有している。
【００３１】
すなわち、第１傾斜面１５ａは、第１直線切刃９ｂから離れるに従って下面５、すなわち仮想平面Ｈからの高さが低くなるように第１直線切刃９ｂに沿って形成されている。第２傾斜面１５ｂは、第２直線切刃９ｃから離れるに従って下面５（仮想平面Ｈ）からの高さが低くなるように第２直線切刃９ｃに沿って形成されている。第３傾斜面１５ｃは、第３直線切刃９ｄから離れるに従って下面５（仮想平面Ｈ）からの高さが低くなるように第３直線切刃９ｄに沿って形成されている。
【００３２】
そして、本実施形態の切削インサート１においては、第２傾斜面１５ｂの下面５に対する傾斜角は、第１傾斜面１５ａおよび第３傾斜面１５ｃの下面５に対する傾斜角よりも大きい。切削加工時に最初に被削材に接触するため大きな衝撃が加わる可能性のある第１直線切刃９ｂに沿った傾斜面である第１傾斜面１５ａ、および切込み角が大きく切削される切屑の厚みも大きくなり易い第３直線切刃９ｄに沿った傾斜面である第３傾斜面１５ｃの傾斜角が相対的に小さく、これらの領域の強度を高めることができる。また、相対的に切削抵抗の小さな第２直線切刃９ｃに沿った傾斜面である第２傾斜面１５ｂの傾斜角が相対的に大きいことから、単に傾斜面全体の傾斜角が小さい場合と比較して、切屑の排出性を良好なものにできる。
【００３３】
また、第１直線切刃９ｂに沿って形成された第１傾斜面１５ａの傾斜角が第２直線切刃９ｃに沿って形成された第２傾斜面１５ｂの傾斜角よりも小さいことから、第１直線切れ刃で生成される切屑のカール径を第２直線切刃９ｃで生成される切屑のカール径よりも小さくできる。そのため、被削材との隙間が小さい第１直線切刃９ｂにおける切屑の噛み込みを防ぐことができる。
【００３４】
このように、第１傾斜面１５ａ、第２傾斜面１５ｂおよび第３傾斜面１５ｃの傾斜角が同じではない。また、第１傾斜面の傾斜角が最も大きく、かつ、第３傾斜面の傾斜角が最も小さくなるように傾斜角が単調に減少するものでもない。そのため、軸方向の切込み深さが大きく、送り量の大きな切削加工であっても良好に加工を行なうことができる。
【００３５】
第１傾斜面１５ａおよび第３傾斜角の傾斜角としては、例えば−５〜２０度に設定される。第２傾斜面１５ｂの傾斜角としては、例えば１０〜３０度であって、第１傾斜面１５ａおよび第３傾斜角の傾斜角よりも大きい値に設定される。
【００３６】
本実施形態の切削インサート１は、切刃９に沿って設けられたランド面１３として、第１直線切刃９ｂに沿って設けられた第１ランド面１３ａと、第２直線切刃９ｃに沿って設けられた第２ランド面１３ｂと、第３直線切刃９ｄに沿って設けられた第３ランド面１３ｃとを有している。すなわち、第１ランド面１３ａは第１直線切刃９ｂと第１傾斜面１５ａとの間に位置している。第２ランド面１３ｂは第２直線切刃９ｃと第２傾斜面１５ｂとの間に位置している。第３ランド面１３ｃは第３直線切刃９ｄと第３傾斜面１５ｃとの間に位置している。
【００３７】
そして、第１ランド面１３ａの幅が、第２ランド面１３ｂおよび第３ランド面１３ｃの幅よりも大きい。第１直線切刃９ｂは、第２ランド面１３ｂおよび第３ランド面１３ｃと比較して、切削加工時に最初に被削材に接触するため大きな衝撃が加わり易い。しかしながら、この相対的に大きな衝撃が加わり易い第１ランド面１３ａの幅が相対的に大きい場合には、第１ランド面１３ａの耐久性を高めることができる。なお、ランド面１３の幅とは、切刃９とすくい面１５との間での幅を意味している。すなわち、ランド面１３における切刃９に隣接する外周端とすくい面１５に隣接する内周端との間の幅を意味している。
【００３８】
また、側面視した場合に、第１直線切刃９ｂは下面５に対して平行であって、第２直線切刃９ｃおよび第３直線切刃９ｄは第１直線切刃９ｂから離れるに従って下面５からの高さが低くなるように傾斜している。このように切刃９が形成されている場合には、切込み角が相対的に大きくなり切屑の厚みが大きくなる第２直線切刃９ｃおよび第３直線切刃９ｄの領域でも切削抵抗を抑制でき、かつ、切刃で生じる切屑を被削材２０１から遠ざける方向に排出し易くなるため、第２直線切刃９ｃおよび第３直線切刃９ｄにおける切屑の噛み込みを防止できる。
【００３９】
＜切削工具＞
次に、本発明の一実施形態の切削工具１０１について図面を用いて説明する。
【００４０】
本実施形態の切削工具１０１は、図１３に示すように、回転中心軸Ｙを有し、外周面の先端側に複数のインサートポケット１０７を有するホルダ１０３と、切刃９がホルダ１０３の側方に突出するようにインサートポケット１０７に装着された上記の切削インサート１とを備えている。
【００４１】
ホルダ１０３は、回転中心軸Ｙを中心として回転する略回転体形状をなす。そして、ホルダ１０３の先端側の外周面には、インサートポケット１０７が等間隔に複数設けられている。インサートポケット１０７は、切削インサート１が装着される部分であり、ホルダ１０３の外周面および先端面に開口している。具体的には、インサートポケット１０７は、回転方向に対向する着座面と、着座面に交差する方向に位置する、２つの拘束側面とを有している。
【００４２】
そして、ホルダ１０３に設けられた複数のインサートポケット１０７に、切削インサート１が装着される。切削インサート１は、第１直線切刃、第２直線切刃および第３直線切刃がそれぞれホルダ１０３の先端または外周から突出するようにホルダ１０３に装着される。
【００４３】
本実施形態においては、切削インサート１は、ネジ１０５によって、インサートポケット１０７に固定されている。すなわち、切削インサート１の貫通孔１１にネジ１０５を挿入し、このネジ１０５の先端をインサートポケット１０７に形成されたネジ孔（不図示）に挿入してネジ部同士を螺合させることによって、切削インサート１がホルダ１０３に固定されている。
【００４４】
また、本実施形態においては、切削インサート１は、ホルダ１０３に対して、外周面から外方に突出する切刃９が正のアキシャルレーキ角および負のラジアルレーキ角を有するように装着されている。なお、本実施形態ではラジアルレーキ角が負となっているが、加工条件によっては正となる場合もある。
【００４５】
ホルダ１０３としては、鋼、鋳鉄などを用いることができる。特に、これらの部材の中で靱性の高い鋼を用いることが好ましい。
【００４６】
＜切削加工物の製造方法＞
次に、本発明の一実施形態の切削加工物の製造方法について図面を用いて説明する。
【００４７】
切削加工物は、被削物を切削加工することによって作製される。本実施形態における切削方法は、以下の工程を備えている。すなわち、
（１）上記実施形態に代表される切削工具１０１を回転させる工程と、
（２）回転している切削工具１０１における切刃９を被削材２０１に接触させる工程と、
（３）切削工具１０１を被削材２０１から離す工程と、
を備えている。
【００４８】
より具体的には、まず、切削工具１０１を回転中心軸Ｙの周りに回転させながら被削材２０１に相対的に近付ける。次に、図１４，１５に示すように、切削工具１０１の切刃９を被削材２０１に接触させて、被削材２０１を切削する。そして、図１６に示すように、切削工具１０１を被削材２０１から相対的に遠ざける。
【００４９】
本実施形態においては、被削材２０１を固定するとともに切削工具１０１を近付けている。また、図１４，１５においては、被削材２０１を固定するとともに切削工具１０１を回転中心軸Ｙの周りに回転させている。また、図１６においては、被削材２０１を固定するとともに切削工具１０１を遠ざけている。なお、本実施形態の製造方法における切削加工では、それぞれの工程において、被削材２０１を固定するとともに切削工具１０１を動かしているが、当然ながらこのような形態に限定されるものではない。
【００５０】
例えば、（１）の工程において、被削材２０１を切削工具１０１に近付けてもよい。同様に、（３）の工程において、被削材２０１を切削工具１０１から遠ざけてもよい。切削加工を継続する場合には、切削工具１０１を回転させた状態を保持して、被削材２０１の異なる箇所に切削インサート１の切刃９を接触させる工程を繰り返せばよい。使用している切刃９が摩耗した際には、切削インサート１を貫通孔の中心軸に対して９０度回転させて、切刃９における未使用の領域を用いればよい。
【００５１】
なお、被削材２０１の材質の代表例としては、炭素鋼、合金鋼、ステンレス鋼、鋳鉄または非鉄金属などが挙げられる。
【符号の説明】
【００５２】
１・・・切削インサート
３・・・上面
５・・・下面
７・・・側面
９・・・切刃
９ａ・・・コーナ切刃
９ｂ・・・第１直線切刃
９ｃ・・・第２直線切刃
９ｄ・・・第３直線切刃
１１・・・貫通孔
１３・・・ランド面
１３ａ・・・第１ランド面
１３ｂ・・・第２ランド面
１３ｃ・・・第３ランド面
１５・・・すくい面
１５ａ・・・第１傾斜面
１５ｂ・・・第２傾斜面
１５ｃ・・・第３傾斜面
１０１・・・切削工具
１０３・・・ホルダ
１０５・・・ネジ
１０７・・・インサートポケット
２０１・・・被削材
【図１】
0005905123.tif 000002
【図２】
0005905123.tif 000003
【図３】
0005905123.tif 000004
【図４】
0005905123.tif 000005
【図５】
0005905123.tif 000006
【図６】
0005905123.tif 000007
【図７】
0005905123.tif 000008
【図８】
0005905123.tif 000009
【図９】
0005905123.tif 000010
【図１０】
0005905123.tif 000011
【図１１】
0005905123.tif 000012
【図１２】
0005905123.tif 000013
【図１３】
0005905123.tif 000014
【図１４】
0005905123.tif 000015
【図１５】
0005905123.tif 000016
【図１６】
0005905123.tif 000017